(57)【要約】【課題】    本発明の課題は、水洗便器と排水管を合流させた手洗い器において、水洗便器洗浄時の負圧の影響により、手洗い器トラップの封水切れや異音発生を防止することである。【解決手段】    排水管を水洗便器の排水管と合流させており、前記排水管の一部にトラップを設けた手洗い器設置構造であって、前記水洗便器と前記手洗い器の合流地点よりも上流に通気弁が設けられていることを特徴とする手洗い器設置構造を提供する。【選択図】  図１
2010203118.tif 000002
【特許請求の範囲】
【請求項１】
水洗便器と、
手洗い器を備えており、
前記手洗い器の排水管を前記水洗便器の排水管と合流させ、
前記排水管の一部にトラップを設けた手洗い器設置構造であって、
前記水洗便器と前記手洗い器の合流地点よりも上流に通気弁が設けられていることを特徴とする手洗い器設置構造。
【発明の詳細な説明】
【技術分野】
【０００１】
本発明は、トイレ用手洗い器の排水管を水洗便器の排水管と合流させる手洗い器設置構造に係り、とくにトイレ用手洗い器の排水管内に負圧が発生する場合においても、手洗い器トラップの封水切れや異音の発生などを防止できる手洗い器設置構造に関する発明である。
【背景技術】
【０００２】
近年、ロータンク手洗器付便器からタンクが外部に露出していないローシルエット便器へのトイレリフォームが増加しているが、こうした場合タンクレス便器には手洗い器が付属しないために新たに手洗い器が必要となる。
【０００３】
また、ローシルエット便器以外にも壁掛便器などの場合、ロータンクを壁際に設けたキャビネット内、あるいは壁そのものの内部へ埋め込むことが行われている。こうした場合にも、タンク上部に手洗器を設けることが不可能であるために、新たな手洗器が必要となる。
【０００４】
新たな手洗い器の排水用として排水管を新設すると時間と費用が発生する為、特許文献１や特許文献２のように便器の排水ソケットに手洗い器などの衛生機器からの排水管が合流する構造が知られている
【先行技術文献】
【特許文献】
【０００５】
【特許文献１】特開2003-27563号公報
【特許文献２】特開2003-313925号公報
【発明の概要】
【発明が解決しようとする課題】
【０００６】
図５に示したような従来の合流構造の場合、水洗便器３の洗浄時に発生する負圧の影響を少なからず排水トラップ１２が受けることとなる。また、この負圧は建築配管経路によっては、大きなものとなり、排水トラップ１２の水が引き込まれ、異音や封水切れなどの問題が発生する場合がある。また、排水トラップ１２内の封水が切れてしまった場合、水洗便器用排水ソケット１３から異臭や虫などが排水管１、排水トラップ１２を通じて手洗器２の排水口２３からトイレルーム内へ侵入するなどの課題が存在する。
【課題を解決するための手段】
【０００７】
上記課題を解決するための本発明によれば、水洗便器と、手洗い器を備えており、前記手洗い器の排水管を前記水洗便器の排水管と合流させ、前記排水管の一部にトラップを設けた手洗い器設置構造であって、前記水洗便器と前記手洗い器の合流地点よりも上流に通気弁が設けられていることを特徴とする手洗い器設置構造が提供される。
【発明の効果】
【０００８】
本発明によれば、衛生機器と便器の排水管を接続する場合において、排水管内に負圧が発生した場合、通気弁より外気が供給され、手洗い器トラップの封水が排水されてしまったり、異音が発生するなどの問題を防止することができる。
【図面の簡単な説明】
【０００９】
【図１】本発明の第一実施例の側面図。
【図２】本発明の第一実施例の変形例の手洗器周辺の側面図。
【図３】本発明の第二実施例の手洗器周辺の側面図。
【図４】本発明の第三実施例の側面図。
【図５】従来の便器と合流する手洗器排水管の斜視図。
【発明を実施するための形態】
【００１０】
以下、本発明の実施形態を図面に基づいて説明する。
図１は本発明の第一実施例の側面図である。第一実施例における便器と合流する手洗い器排水管１は、手洗器２の排水口２３と水洗便器３の排水口を接続するものである。
排水管１の途中には水洗便器の排水口や排水管自身から臭気などが逆流することを防ぐ目的で排水トラップ１２が設けられている。本実施例ではドラム型の排水トラップを採用しているが、後述するようにトラップとしての機能を果たせばその形状はドラム型に限られるものではない。
【００１１】
手洗器２にはボウル２１と水栓２２が設けられている。実施例におけるこれらの形状、位置関係は一例に過ぎず、手洗器としての機能を果たす範囲で適宜変更可能である。例えば、水栓２２は手洗器２の背面板に設けられているが、別途壁に設けられていても良く、手洗器の一部から立ち上がる形式であってもよい。
また、本実施例において、手洗器２はカウンタ４上に載置される形で設置されているが、必ずしもこのような構成である必要はなく、壁に取り付けてあってもよく、キャビネット上部に載置されるなど、その他の構成であってもよい。
【００１２】
排水管１は水洗便器３に設けられた床排水ソケット１３と接続される合流ソケット１４に接続されている。ここでは一例として、床排水タイプのタンクレス水洗便器を採用しているが、壁排水タイプの水洗便器であったり、タンク式の水洗便器であっても良い。また、排水管１と水洗便器との接続も、ここで示したソケットを利用して排水口と接続されるものである必要はなく、どのような形であれ、排水が合流できる構造になっていれば問題ない。
【００１３】
排水管１において、排水トラップの頂上地点には負圧抑制弁１１が設けられている。この負圧抑制弁１１は外部から排水管１内へ外気を取り込むことが可能となっており、排水管１内に負圧が発生した場合に排水トラップ１２にたまっている封水が水洗便器３側へ引き込まれてしまうことを防止する。一方で、排水管１内の排水がこの負圧抑制弁１１を通じて外部へ漏れ出すことのないように逆止弁となっている。
本実施例においては、負圧抑制弁１１は排水トラップ１２の頭頂部付近に設けられている。負圧抑制弁１１の設置位置は手洗器の排水トラップ１２の封水より下流で、水洗便器３との合流地点より上流であれば何れの場所に設けても良い。
【００１４】
第一実施例の変形例における、手洗い器２周辺の拡大図を図２に示す。先ほど述べたように、排水トラップ１２の形状はどのような形でもよく、変形例においては第一実施例と異なる形状のトラップを採用している。
【００１５】
図３は第二の実施例における、手洗器周辺の側面図を示したものである。排水トラップ１２の側部より分岐管１５が分岐しており、その先端に負圧抑制弁１１が設けられている。このように、負圧抑制弁１１は必ずしも排水管１に直接設ける必要はなく、その一部から分岐させた分岐管１５の先端に設けても良い。但し、その場合は分岐管１５と排水管１の接続部が、水洗便器３との合流部より上流にある必要がある。このように、分岐管１５の先端に負圧抑制弁１１を設けることで、負圧制御弁１１を様々な場所に設けることが可能となり、トイレルームないのレイアウトの自由度が増す。
【００１６】
図４は本発明の第三実施例の側面図である。第三の実施例においては、負圧抑制弁１１は排水トラップ１１より離れた排水管１の途中に設けられている。このように、負圧制御弁１１を設ける位置は水洗便器３との合流部より上流であれば排水トラップ１２の周辺に限らず、いかなる位置であってもよい。また、排水トラップ１２と負圧制御弁１１の距離をとって設けることによって、巨大な負圧が発生した場合に、負圧制御弁１１より流入する外気によって排水トラップ１２の封水が吸い込まれる問題を回避することが可能となる。
【符号の説明】
【００１７】
１    排水管
１１  負圧抑制弁
１２  排水トラップ
１３  床排水ソケット
１４  合流ソケット
２    手洗器
２１  ボウル
２２  水栓
２３  手洗器２の排水口
３    水栓便器
４    カウンタ
【図１】
2010203118.tif 000003
【図２】
2010203118.tif 000004
【図３】
2010203118.tif 000005
【図４】
2010203118.tif 000006
【図５】
2010203118.tif 000007